(57)【要約】【課題】  従来より安全に使用し得る防犯ブザー機能付き携帯電話機を提供する。【解決手段】  携帯電話機１０００は、センサ部１０７の赤外線センサ１２１、フォトセンサ１２２を備え、赤外線センサ１２１によって赤外線を検出し、フォトセンサ１２２によって光を検出する。赤外線センサ１２１およびフォトセンサ１２２は所定位置に配置されており、制御部１１０は、通話中において、赤外線センサ１２１によって赤外線を検出し、かつ、フォトセンサ１２２によって光が検出されないとき、ユーザが近くにいると判断し、ブザーの音量を下げて防犯ブザー機能を実行する。【選択図】    図３
2006287557.tif 000002
【特許請求の範囲】
【請求項１】
防犯目的で音を鳴らす防犯ブザー機能を備える携帯電話機であって、
自機とユーザとの距離が所定距離内にあるときに信号を出力する距離センサと、
前記距離センサによって信号が出力されたか否かに基づいて音量を決定する決定手段と、
前記決定された音量で前記防犯ブザー機能を実行するよう制御する制御手段とを備える
ことを特徴とする携帯電話機。
【請求項２】
前記距離センサとは、
所定距離内にある熱源から発せられる赤外線を検出したか否かに応じて信号を出力する赤外線センサであり、
前記携帯電話機は、さらに、
所定照度以上の光を検出したか否かに応じて信号を出力するフォトセンサを備え、
前記決定手段は、
前記赤外線センサが赤外線を検出し、かつ、前記フォトセンサが所定照度以上の光を検出しないときに、前記音量を下げるよう前記決定を行う
ことを特徴とする請求項１記載の携帯電話機。
【請求項３】
前記距離センサとは、
所定距離内にある熱源から発せられる赤外線を検出したか否かに応じて信号を出力する赤外線センサであり、
前記携帯電話機は、さらに、
ユーザが自機に接触したか否かに応じて信号を出力するタッチセンサを備え、
前記決定手段は、
前記赤外線センサが赤外線を検出し、かつ、前記タッチセンサが自機への接触を検知したときに、前記音量を下げるよう前記決定を行う
ことを特徴とする請求項１記載の携帯電話機。
【請求項４】
前記携帯電話機は、さらに、所定照度以上の光を検出したか否かに応じて信号を出力するフォトセンサを備え、
前記決定手段は、
前記赤外線センサが赤外線を検出し、前記タッチセンサが自機への接触を検知し、前記フォトセンサが所定照度以上の光を検出しないときに、前記音量を下げるよう前記決定を行う
ことを特徴とする請求項３記載の携帯電話機。
【請求項５】
前記携帯電話機は、
自機が通話中であるか否かを判断する判断手段を備え、
前記制御手段は、
前記判断手段によって通話中であると判断されたときに限り前記制御を実行し、通話中でないと判断されたときは、前記決定された音量にかかわらず所定音量で前記防犯ブザー機能を実行する
ことを特徴とする請求項１記載の携帯電話機。
【請求項６】
前記赤外線センサは、通話時に通話相手の音声を出力するスピーカの音声出力方向に対して垂直となる面であって、前記スピーカが音声を出力している側の面へ入射する赤外線を検出するよう配置されている
ことを特徴とする請求項２から４のうちいずれか１項記載の携帯電話機。
【請求項７】
前記フォトセンサは、通話時に通話相手の音声を出力するスピーカの音声出力方向に対して垂直となる面にあり、前記スピーカとユーザの音声入力を受け付けるマイクとの中間点より３ｃｍ以内の位置に配置されている
ことを特徴とする請求項２または４のうちいずれか１項記載の携帯電話機。
【請求項８】
前記タッチセンサは、自機の筺体の側面部に配置されている
ことを特徴とする請求項３または４のうちいずれか１項記載の携帯電話機。
【発明の詳細な説明】
【技術分野】
【０００１】
本発明は、携帯電話機に関し、特に、防犯ブザー機能を備えた携帯電話機に関する。
【背景技術】
【０００２】
近年、人々の間で身近な防犯ツールへの関心が高まってきている。防犯ツールは、暴漢に襲われるかもしれないと不安を抱き、何かしらの自衛策を持つことで安心感を得たいと願う人にとっては日常生活に欠かせない製品であり、そのような防犯ツールのひとつに、防犯ブザー機能付き携帯電話機があり、音を鳴らすことで周囲に危機的状況を知らせ、これにより、周囲の人に救助を求めることができる（特許文献１参照）。
【特許文献１】特開２０００−１８４０２１号公報
【発明の開示】
【発明が解決しようとする課題】
【０００３】
ところで、この防犯ブザー機能は、緊急時において使用されるものであるため、機能の発動に煩雑な操作が必要になるのでは使い物にならない。例えば、メニュー画面を開いて深い階層まで辿り着いてから機能を実行できるというのでは、操作の手順が多いため、機能の発動に時間がかかりすぎて肝心要の時に使用が間に合わないことになりかねない。そのため、機能発動のための操作は簡単にすることが望ましく、例えばヒモを引っ張ってスイッチを入れたり、あるいは所定のボタンを数回押すといったような、極めて簡単な操作で防犯ブザー機能を発動できるようにする必要がある。
【０００４】
また、防犯ブザー機能は、音を出すことで周囲に身の危険を伝えるものであるから、周囲に聞こえないような音でブザーを鳴らしても防犯ブザーとしての機能は発揮していないに等しい。そのため、防犯ブザーは、通常、１００デシベル以上の大音量で音を鳴らすこととしており、大音量で鳴らすことで、例え雑踏の中であったとしても、存分に、周囲にブザー音を鳴り響かせることができる。
【０００５】
しかし、簡単な操作で大音量のブザー音を鳴らす必要があるために、場合によっては防犯ブザー機能によって携帯電話機のユーザに害を及ぼすことがある。例えば、通話中のようにユーザが耳元の近くで携帯電話機を使用している状況において、ユーザが操作を誤って防犯ブザー機能を実行してしまうと、ユーザの意図しないうちに耳の直近で突然大音量のブザー音が鳴り響くため、ブザー音によって耳を傷め、難聴事故を起こす恐れがある。防犯ブザー機能は、ユーザの身を守るための機能であるはずなのに、その機能によってユーザに害を及ぼす状況など、到底受け入れられるものではなく、事故などを防止するためにも何らかの対策が必要である。
【０００６】
そこで、本発明は、上記課題に鑑みてなされたものであり、ユーザにとって、より安全に使用できる防犯ブザー機能を備えた携帯電話機を提供することを目的とする。
【課題を解決するための手段】
【０００７】
上記課題を解決するため、本発明の携帯電話機は、防犯目的で音を鳴らす防犯ブザー機能を備える携帯電話機であって、自機とユーザとの距離が所定距離内にあるときに信号を出力する距離センサと、前記距離センサによって信号が出力されたか否かに基づいて音量を決定する決定手段と、前記決定された音量で前記防犯ブザー機能を実行するよう制御する制御手段とを備える。
【発明の効果】
【０００８】
これにより、距離センサの出力値に基づいて防犯ブザー機能実行時の音量を決定することができるから、ユーザとの距離に応じて機能実行時の音量を調節することができる。その結果、例えば通話中に誤って機能を実行した場合のように、携帯電話機が耳元に密着していて大音量で防犯ブザー機能を実行することが望ましくない状況では音量を小さくし、一方、耳元から携帯電話機が離れている状況では音量を大きくすることで、不意に耳元で大音量のブザー音を鳴らさないようにすることができ、ユーザは、従来より安全に防犯ブザー機能付き携帯電話機を使用することができる。
【０００９】
また、前記距離センサとは、所定距離内にある熱源から発せられる赤外線を検出したか否かに応じて信号を出力する赤外線センサであり、前記携帯電話機は、さらに、所定照度以上の光を検出したか否かに応じて信号を出力するフォトセンサを備え、前記決定手段は、前記赤外線センサが赤外線を検出し、かつ、前記フォトセンサが所定照度以上の光を検出しないときに、前記音量を下げるよう前記決定を行うこととしてもよい。
【００１０】
これにより、例えば赤外線センサのみを用いる場合であると、センサの検出範囲外にユーザがいたときに、ユーザとの距離測定に失敗する可能性があるのに対して、センサを複数用いることで、赤外線センサによってユーザとの距離を測りつつ、フォトセンサが光を検出していないときは携帯電話機がユーザに密着しておりフォトセンサが光を検出しているときは携帯電話機がユーザに密着しておらず周囲の光を検出していると判断することで、センサ一つを用いる場合に比べて携帯電話機がユーザの近くに存在しているか否かを判定する精度をより向上させることができる。
【００１１】
また、前記距離センサとは、所定距離内にある熱源から発せられる赤外線を検出したか否かに応じて信号を出力する赤外線センサであり、前記携帯電話機は、さらに、ユーザが自機に接触したか否かに応じて信号を出力するタッチセンサを備え、前記決定手段は、前記赤外線センサが赤外線を検出し、かつ、前記タッチセンサが自機への接触を検知したときに、前記音量を下げるよう前記決定を行うこととしてもよく、前記携帯電話機は、さらに、所定照度以上の光を検出したか否かに応じて信号を出力するフォトセンサを備え、前記決定手段は、前記赤外線センサが赤外線を検出し、前記タッチセンサが自機への接触を検知し、前記フォトセンサが所定照度以上の光を検出しないときに、前記音量を下げるよう前記決定を行うこととしてもよい。
【００１２】
これにより、例えば通話時などの、携帯電話機がユーザに密着している可能性が高い状況においてユーザが携帯電話機に触れる箇所にタッチセンサを配置することで、センサ一つを用いる場合に比べて携帯電話機がユーザの近くに存在しているか否かを判定する精度をより向上させることができる。
また、前記携帯電話機は、自機が通話中であるか否かを判断する判断手段を備え、前記制御手段は、前記判断手段によって通話中であると判断されたときに限り前記制御を実行し、通話中でないと判断されたときは、前記決定された音量にかかわらず所定音量で前記防犯ブザー機能を実行することとしてもよい。
【００１３】
これにより、通話時以外のように、携帯電話機がユーザの耳元に密着していない可能性が高い状況では大きい音量で防犯ブザー機能を実行し、通話中のように、音量を小さくする必要性が高い状況では距離センサの出力に応じて音量を調節することができ、通話しておらず携帯電話機が耳元から離れている可能性が高い状況にもかかわらず機能実行時の音量が大きくならない事態を回避することができる。
【００１４】
なお、通話時であっても、通話を行うために携帯電話機を耳に近づけたときは音量を小さく、耳元から離せば音量を上げることができるから、例えば暴漢に襲われて逃げながら状況を他者に通話によって知らせたい状況などにおいて、耳を傷めることなくブザー音を周囲に知らせることができ、より安全に防犯ブザー機能を実行することができる。
また、前記赤外線センサは、通話時に通話相手の音声を出力するスピーカの音声出力方向に対して垂直となる面であって、前記スピーカが音声を出力している側の面へ入射する赤外線を検出するよう配置されていることとしてもよい。
【００１５】
これにより、通常、通話時においては通話音声を出力するスピーカの音声出力方向にユーザの耳があるので、距離センサによってユーザの耳との距離をより正確に測定することができる。
また、前記フォトセンサは、通話時に通話相手の音声を出力するスピーカの音声出力方向に対して垂直となる面にあり、前記スピーカとユーザの音声入力を受け付けるマイクとの中間点より３ｃｍ以内の位置に配置されていることとしてもよい。
【００１６】
これにより、ユーザが携帯電話機を使用して通話の姿勢をとったときにフォトセンサがユーザの肌に密着して周囲の光を検出しないように配置することができ、携帯電話機とユーザの耳との距離が近いか否かをより効果的に判定してブザーの音量を調節することができる。
また、前記タッチセンサは、自機の筺体の側面部に配置されていることとしてもよい。
【００１７】
これにより、ユーザが携帯電話機を使用して通話の姿勢をとったときにユーザが携帯電話機に触れる可能性の高い位置にタッチセンサを配置することができ、携帯電話機とユーザの耳との距離が近いか否かをより効果的に判定してブザーの音量を調節することができる。
【発明を実施するための最良の形態】
【００１８】
＜実施の形態１＞
以下、本発明の実施の形態にかかる携帯電話機について図面を用いて説明する。
＜構成＞
図１は、本実施の形態１における携帯電話機の機能ブロック図である。
同図に示すように、携帯電話機１０００は、アンテナ１０１と、送受信部１０２と、操作部１０３と、表示部１０４と、音声入力部１０５と、音声出力部１０６と、センサ部１０７と、音量調節部１０８と、ブザー出力部１０９と、制御部１１０を備える。
【００１９】
アンテナ１０１は、機体から出し入れ自在なロッドアンテナであり、通信電波の送受信を行う。
送受信部１０２は、無線信号を送受信する無線回路であり、制御部１１０から出力される通信データを変調し、アンテナ１０１を介して送信する。また、アンテナ１０１を介して受信した通信データを復調し、制御部１１０へ出力する。ここで、通信データとは、通話のための音声データなどのことをいう。
【００２０】
操作部１０３は、通話開始キー、通話終了キー、テンキー等からなり、ユーザによるキー入力を受け付けて制御部１１０へ信号を送信する。また、防犯ブザー機能を実行させるスイッチやキーを備え、ユーザによる防犯ブザー機能の実行操作を受け付ける。
表示部１０４は、液晶パネルであり、制御部１１０から信号を受け付けて、文字、画像、現在時刻などの表示を行う。
【００２１】
音声入力部１０５は、マイクであり、ユーザによる音声入力を音声信号に変換して制御部１１０へ出力する。
音声出力部１０６は、スピーカであり、制御部１１０から音声信号を受け付けて、通話音声などを出力する。
センサ部１０７は、赤外線センサ１２１とフォトセンサ１２２を含み、センサを用いて赤外線などを検出し、所定の信号を制御部１１０へ送信する。
【００２２】
赤外線センサ１２１は、例えば焦電型赤外線センサであり、８〜１４μｍの波長の赤外線を検出する。フレネルレンズによって赤外線を検出可能な視野角を調節し、赤外線を検出すると、信号を制御部１１０へ送信する。
フォトセンサ１２２は、光を検出すると、明るさに比例したリニア出力を行い、出力値が所定値を超えたとき、すなわち所定照度以上の明るさの光を検出すると、信号を制御部１１０へ送信する。
【００２３】
音量調節部１０８は、音量を調節する集積回路であり、制御部１１０からの制御信号に従って、防犯ブザー機能実行時におけるブザーの音量を調節する。
ブザー出力部１０９は、スピーカであり、所定の周波数の音を出力することができ、音量調節部１０８で調節された音量に従って、所定周波数のブザー音を鳴動させる。ブザー音は、例えば最大で１３０デシベル程度の音量で鳴らすことができる。
【００２４】
制御部１１０は、ＣＰＵ（Central Processing Unit）、ＲＯＭ（Read Only Memory）、ＲＡＭ（Random Access Memory）などを備え、操作部１０３を介してユーザによる防犯ブザー機能の実行操作を受け付けて、センサ部１０７から出力された信号に基づいてブザーの音量を決定する処理や、決定した音量でブザー音を鳴らすよう音量調節部１０８やブザー出力部１０９を制御する処理や、通話時における通信処理の制御などを行う。
【００２５】
＜センサの位置と性能＞
次に、赤外線センサ１２１およびフォトセンサ１２２が配置されている位置およびセンサの性能について説明する。
図２は、センサの位置を示す図であり、同図（ａ）は携帯電話機の正面図を、同図（ｂ）は側面図を示す。同図に示すように、赤外線センサ１２１およびフォトセンサ１２２は、携帯電話機の所定位置に配置されている。
【００２６】
赤外線センサ１２１は、例えば受光電極の形状が１．３ｍｍ×１．０ｍｍのものを用い、同図（ａ）に示すように、音声出力部１０６が配置されている携帯電話機筺体の同一面上で、音声出力部１０６から所定距離内に配置されている。例えば、音声出力部１０６から１ｃｍ以内の位置に配置されている。
また、赤外線の検出範囲は、フレネルレンズを調整して、例えば距離１５ｃｍ、検知角度水平７０度垂直７０度と設定している。
【００２７】
フォトセンサ１２２は、例えば受光部の大きさが２．０ｍｍ×２．１ｍｍのものを用い、同図（ａ）に示すように、音声出力部１０６と同一面上に配置されている。同図では、音声出力部１０６と同一面上で、さらに、音声出力部１０６と音声入力部１０５との中間の位置から所定距離内に位置するように配置されている。例えば、中間の位置から３ｃｍ以内の位置に配置されている。
【００２８】
また、フォトセンサ１２２は、所定照度以上の明るさを検出すると制御部１１０へ信号を送信するが、ここで、所定照度以上とは、例えば５０ルクス以上と設定している。
＜動作＞
以下、上述した構成を備える携帯電話機１０００の動作について説明する。
制御部１１０は、ユーザによって防犯ブザー機能が実行されると、センサ部１０７から逐次出力される信号に基づいてブザーの音量を決定し、決定された音量に従って、防犯ブザー機能実行時にブザー音を高くしたり低くしたりする。ブザー音は、例えば音量が大きいときは１３０デシベルで、音量が小さいときは４０デシベルで鳴らすようにする。なお、防犯ブザー機能の実行は、操作部１０３を介して行われ、例えば所定のキーを所定時間内に複数回押下する操作などによって行う。
【００２９】
図３は、防犯ブザー機能実行時に制御部１１０がブザー音の音量を調節する処理を示すフローチャートである。
制御部１１０は、操作部１０３を介してユーザによって防犯ブザー機能が実行されると、ユーザが通話中か否かを判断する（Ｓ３１）。通話中か否かは、制御部１１０が発信処理を行っているか通話処理を行っているか等で判断できる。
【００３０】
ユーザが通話中でなければ（Ｓ３１：Ｎ）ブザーの音量を大きくして防犯ブザー機能を実行し（Ｓ３４）、ユーザが通話中であれば（Ｓ３１：Ｙ）、センサ部１０７から受け付けた信号に基づいて、ブザー音の音量を大きくするか否かを判断し、音量を大きくするか否かを示す音量フラグを有効にするか否か決定する音量調節処理を行う（Ｓ３２）。
なお、音量フラグは、例えば１ビットの値で保持し、音量を大きくするときは音量フラグを有効にして、音量フラグを「１」、音量を小さくするときは音量フラグを無効にして音量フラグを「０」としてＲＡＭに格納する。
【００３１】
制御部１１０は、ステップＳ３２において音量フラグを決定すると、音量フラグが有効であるか否かを判断する（Ｓ３３）。音量フラグが有効であれば（Ｓ３３：Ｙ）、ブザーの音量を大きくして防犯ブザー機能を実行し（Ｓ３４）、音量フラグが無効であれば（Ｓ３３：Ｎ）、ブザーの音量を小さくして防犯ブザー機能を実行する（Ｓ３５）。
そして、ユーザの操作によって防犯ブザー機能がオフにされるまでの間（Ｓ３６：Ｎ）、ブザー音を鳴らしつつ、センサの出力に応じてブザーの音量を調節する（Ｓ３２、Ｓ３４、Ｓ３５）。
【００３２】
防犯ブザー機能がオフにされると（Ｓ３６：Ｙ）、制御部１１０は、ブザー音の音量を調節する処理を終了する。
＜音量調節処理＞
ここで、ステップＳ３２の音量調節処理について詳しく説明する。
図４は、制御部１１０が、センサからの信号に基づいてブザーの音量を判断する処理を示すフローチャートである。
【００３３】
制御部１１０は、赤外線センサから信号が送られているか否か判断し（Ｓ４１）、送られていなければ（Ｓ４１：Ｎ）、音量フラグを有効にする（Ｓ４３）。赤外線センサから信号が送られていれば（Ｓ４１：Ｙ）、フォトセンサから信号が送られているか否かを判断する（Ｓ４２）。フォトセンサから信号が送られていれば（Ｓ４２：Ｙ）、音量フラグを有効にし（Ｓ４３）、信号が送られていなければ（Ｓ４２：Ｎ）、音量フラグを無効にする（Ｓ４４）。
【００３４】
このようにして、制御部１１０は、センサから送られる信号に基づいて、防犯ブザー機能実行時に、ブザーの音量を大きくしたり小さくしたりする。
＜実施の形態２＞
次に、実施の形態２にかかる携帯電話機について、実施の形態１との相違点に主眼を置きつつ説明する。
【００３５】
＜構成＞
図５は、実施の形態２における携帯電話機の機能ブロック図である。実施の形態１との相違点は、センサ部１０７の構成が、赤外線センサ１２１とタッチセンサ１２３となったことであり、他の構成については実施の形態１と同一であるため説明を省略する。
センサ部１０７に含まれるタッチセンサ１２３は、例えばタッチパッドや感圧式センサであり、センサへの接触を検知して信号を制御部１１０へ送信する。
【００３６】
＜センサの位置と性能＞
次に、タッチセンサ１２３が配置されている位置およびセンサの性能について説明する。
図２に示すように、タッチセンサ１２３は、音声出力部１０６がある面を携帯電話機の筺体の正面としたときの、筺体側面に配置されている。同図では、音声入力部１０５のある筺体の側面部に配置している。
【００３７】
タッチセンサ１２３は、例えば、ユーザがセンサ表面のフィルムに触れたときに、フィルムへの０．２ｍｍの圧着を検出する感圧センサであり、接触を検知すると、信号を制御部１１０へ送信する。
＜動作＞
以下、上述した構成を備える携帯電話機１１００の動作について説明する。
【００３８】
制御部１１０は、実施の形態１で説明したように、図３に示すフローチャートに従ってブザー音の音量を調節するが、ステップＳ３２の音量調節処理以外の他の処理は、実施の形態１と同一であるため説明を省略する。
＜音量調節処理＞
実施の形態２におけるステップＳ３２の音量調節処理について説明する。
【００３９】
図６は、制御部１１０が、センサからの信号に基づいてブザーの音量を判断する処理を示すフローチャートである。
制御部１１０は、赤外線センサから信号が送られているか否か判断し（Ｓ６１）、送られていなければ（Ｓ６１：Ｎ）、音量フラグを有効にする（Ｓ６３）。赤外線センサから信号が送られていれば（Ｓ６１：Ｙ）、タッチセンサから信号が送られているか否かを判断する（Ｓ６２）。タッチセンサから信号が送られていなければ（Ｓ６２：Ｎ）、音量フラグを有効にし（Ｓ６３）、信号が送られていれば（Ｓ６２：Ｙ）、音量フラグを無効にする（Ｓ６４）。
＜補足＞
以上のように発明の実施形態について説明してきたが、本発明に係る携帯電話機は上述の実施形態に限られないことは勿論である。
（１）上記の実施形態では、携帯電話機に搭載するセンサの組み合わせは赤外線センサとフォトセンサ、または赤外線センサとタッチセンサとして説明してきたが、これに限られず、赤外線センサ、フォトセンサ、タッチセンサの３つを用いてもよく、任意の組み合わせであってよい。
【００４０】
ここで、３つのセンサを用いる場合は、例えば赤外線センサが赤外線を検出して信号を制御部１１０へ送信し、フォトセンサが所定照度以上の光を検出せず制御部１１０へ信号が送られず、かつ、タッチセンサが接触を検知して制御部１１０へ信号を送信しているときにかぎり、音量フラグを無効にすることで、センサから送られる信号に応じてブザーの音量を調節することができる。
（２）上記の実施形態では、各センサの位置は図２に示す位置としたが、ユーザが携帯電話機に近接していることを効果的に検出できる場所であれば、上記の形態の位置に限らない。
（３）上記の実施形態では、通話時に限り、ブザーの音量を小さくすることとしているが（Ｓ３１）、上述の条件は必ずしも必須ではなく、通話時でなくてもセンサの出力信号に応じてブザーの音量を調節することとしてもよい。
（４）上記の実施形態では、ブザー出力部１０９からブザー音が鳴らされることとしているが、この他に、音声出力部１０６のスピーカからブザー音を鳴らすこととしてもよい。また、ブザー出力部１０９のスピーカは、音声出力部１０６のスピーカと共用であってもよい。
（５）上記の実施形態では、音量を調節して、調節された音量でブザー音を鳴らすこととしているが、音量を小さくしたり大きくしたりする過程においては、瞬時に音量を切り替えてもよいし、所定時間内に徐々に音量を切り替えることとしてもよい。
【００４１】
また、音量フラグが有効か無効かの２段階で音量を調節することとしているが、音量フラグは何段階であってもよく、段階に応じて音量を調節することとしてもよい。例えば、４０デシベル、６０デシベル、８０デシベル、１３０デシベルの４段階で音を鳴らすこととしてもよく、ステップＳ３３において音量フラグが有効または無効と判断されるたびに段階を変更することとしてもよい。
【００４２】
また、音量フラグが無効から有効になったときは、まず音声出力部１０６にユーザの耳を痛めない程度の、例えば４０デシベル程度の音量でブザー音を鳴らし、ユーザにブザー音が鳴ることへの注意を喚起させ、その後、ブザー音を所定音量で鳴らすこととしてもよい。
【産業上の利用可能性】
【００４３】
本発明は、防犯機能を備える携帯電話機において適用できる。
【図面の簡単な説明】
【００４４】
【図１】実施の形態１における携帯電話機の機能ブロック図である。
【図２】センサの位置を示す図である。
【図３】防犯ブザー機能実行時に制御部１１０がブザー音の音量を調節する処理を示すフローチャートである。
【図４】制御部１１０が、センサからの信号に基づいてブザーの音量を判断する処理を示すフローチャートである。
【図５】実施の形態２における携帯電話機の機能ブロック図である。
【図６】実施の形態２における携帯電話機の制御部１１０がセンサからの信号に基づいてブザーの音量を判断する処理を示すフローチャートである。
【符号の説明】
【００４５】
１０１  アンテナ
１０２  送受信部
１０３  操作部
１０４  表示部
１０５  音声入力部
１０６  音声出力部
１０７  センサ部
１０８  音量調節部
１０９  ブザー出力部
１１０  制御部
１２１  赤外線センサ
１２２  フォトセンサ
１２３  タッチセンサ
【図１】
2006287557.tif 000003
【図２】
2006287557.tif 000004
【図３】
2006287557.tif 000005
【図４】
2006287557.tif 000006
【図５】
2006287557.tif 000007
【図６】
2006287557.tif 000008